(57)【特許請求の範囲】
【請求項１】
冷温水器に設置され生水容器の出口の栓を開け生水容器の内部に空気を供給する空気流入口と、生水容器に入っている水の排出が始まる出水口を有する突出管と、
冷温水器に設置された貯水タンクの水位によって昇降するフロートと、
前記突出管の内部に設置され前記フロートの昇降によって上下方向に直線移動して生水容器に入っている水の排出を断続する出水断続手段と、
を含み、前記フロートと出水断続手段はそれぞれ別途の独立した構造からなることを特徴とする冷温水器のウォーターガード。
【請求項２】
前記出水断続手段は、
突出管の内部に挿入され生水容器の内部に空気を流入させる空気流入通路および生水容器の水を貯水タンクに排出させる水排出通路を有する本体部と、
前記本体部の下部に設置されフロートの昇降で本体部と共に昇降しながら前記空気流入通路および水排出通路を閉鎖するか開放させる開閉部と、
前記本体部の下方に設置されフロートの上昇および開閉部の下降を一定の範囲内で制限するストッパーと、
から構成されることを特徴とする請求項１に記載の冷温水器のウォーターガード。
【請求項３】
前記本体部に形成された空気流入通路および水排出通路は隔壁で区画されることを特徴とする請求項２に記載の冷温水器のウォーターガード。
【請求項４】
前記水排出通路の断面積は空気流入通路の断面積より大きく形成されることを特徴とする請求項２に記載の冷温水器のウォーターガード。
【請求項５】
前記空気流入通路および水排出通路は複数個からなることを特徴とする請求項２に記載の冷温水器のウォーターガード。
【請求項６】
複数の対向する前記空気流入通路および複数の対向する前記水排出通路は本体部の円周方向に沿って形成されることを特徴とする請求項３に記載の冷温水器のウォーターガード。
【請求項７】
前記フロートの上部および開閉部の下部にはフロートの上昇をガイドするガイド突起およびガイド溝がそれぞれ形成されることを特徴とする請求項２に記載の冷温水器のウォーターガード。
【請求項８】
前記突出管に形成された空気流入口は出水口より上方に形成されることを特徴とする請求項１に記載の冷温水器のウォーターガード。
【発明の詳細な説明】
【技術分野】
【０００１】
本発明は冷温水器のウォーターガードに係り、より詳しくは、生水容器からの水の出水と生水容器への空気の流入が円滑に行われると共に、生水容器への細菌流入を防止することができるように構成された冷温水器のウォーターガードに関する。
【背景技術】
【０００２】
飲み水に対する関心が高まるに従って、家庭や事務室および事業所などでは市販される生水を飲料水として多く使用している。
【０００３】
このような生水は生水容器などに入れて販売され、冷蔵庫に保管し必要な時に使用するか、または冷温水器を利用して所定の温度に冷却するか加熱して冷水／温水を選択的に使用することができるように構成される。
【０００４】
前記冷温水器は上部に生水容器を覆して載せることができる構造を備え、冷温水器の内部には生水容器の水が一定量入れられて貯蔵されるように貯蔵タンクが設置されている。
【０００５】
この貯蔵タンクの水は冷温水器の内部で所定の温度に冷却されるか加熱されて貯蔵され、冷温水器の外部に設置された排出コック（ｃｏｃｋ）を用いて冷水／温水を排出させて使用することができる。
【０００６】
そして、貯蔵タンクの水が排出されると生水容器の水が貯蔵タンクに流入されるように、貯蔵タンクにはウォーターガード（Ｗａｔｅｒ  Ｇｕａｒｄ）が設置されている。
【０００７】
前記ウォーターガードは、冷温水器の貯蔵タンクの上部側に設置され生水容器の内部に空気を流入させる空気流入通路と、前記空気の流入で生水容器の水を貯水タンクに出水する水排出通路と、を備える。
【０００８】
このようなウォーターガードによって貯水タンクから水が排出されると、空気流入通路を通じて空気が生水容器の内部に流入し、生水容器に入っている水は水排出通路を通じて貯水タンクに排出される。このような作用によって貯水タンクには常に一定量の水が満たされた状態を維持する。
【０００９】
しかし、従来は貯水タンクに入っている水と生水容器に入っている水は互いに相接して接触された状態であるので、例えば貯水タンクに細菌が存在する場合、この細菌が生水容器に流入する可能性が高い。
【００１０】
このように生水容器に細菌が流入すれば、生水容器の水は常温状態にあるので細菌が急激に繁殖する虞がある。
【発明の概要】
【発明が解決しようとする課題】
【００１１】
本発明は前記のような従来の問題点を解決するために提案されたものであって、本発明の目的は生水容器から排出される水の出水と生水容器に流入する空気の流入が円滑に行われる冷温水器のウォーターガードを提供することにある。
【００１２】
本発明の他の目的は、貯水タンクに細菌が存在する場合、この細菌が生水容器に流入するのを遮断することができる冷温水器のウォーターガードを提供することにある。
【課題を解決するための手段】
【００１３】
本発明が提案する冷温水器のウォーターガードは、冷温水器に設置され生水容器の出口の栓を開け生水容器の内部に空気を供給する空気流入口と、生水容器に入っている水の排出が始まる出水口を有する突出管と、冷温水器に設置された貯水タンクの水位によって昇降するフロートと、前記突出管の内部に設置され前記フロートの昇降によって上下方向に直線移動して生水容器に入っている水の排出を断続する出水断続手段と、を含み、前記フロートと出水断続手段はそれぞれ別途の独立した構造からなることを特徴とする冷温水器のウォーターガードを提供する。
【００１４】
前記出水断続手段は、突出管の内部に挿入され生水容器の内部に空気を流入させる空気流入通路と生水容器の水を貯水タンクに排出させる水排出通路を有する本体部と、前記本体部の下部に設置されフロートの昇降で本体部と共に昇降しながら前記空気流入通路および水排出通路を閉鎖するか開放させる開閉部と、前記本体部の下方に設置されフロートの上昇および開閉部の下降を一定の範囲内で制限するストッパーと、から構成される。
【００１５】
複数の対向する前記空気流入通路と複数の対向する水排出通路は隔壁で区分されながら本体部の周縁面に沿って形成される。
【発明の効果】
【００１６】
本発明による冷温水器のウォーターガードは、生水容器の水が出水される複数の対向する水排出通路と生水容器の内部に空気が流入する複数の対向する空気流入通路が本体部の周縁面に沿って形成され、水の流路と空気の流路が隔壁によって区分される。
【００１７】
また生水容器の水が水排出通路を通じて貯水タンクに出水された後、生水容器の出口と貯水タンクを密閉するので、貯水タンクに細菌が存在する場合、細菌が生水容器に流入することを防止できる。
【図面の簡単な説明】
【００１８】
【図１】本発明による冷温水器のウォーターガードを説明するための図面であって、出水断続手段が閉鎖された状態の断面図である。
【図２】図１の主要部分を拡大した図面である。
【図３】本発明による冷温水器のウォーターガードに提供された出水断続手段の分解斜視図。
【図４】本発明による冷温水器のウォーターガードを説明するための図面であって、出水断続手段が開放された状態の断面図である。
【図５】図４の主要部分を拡大した図面である。
【図６】出水断続手段が開放された状態の主要部分を拡大した断図面である。
【発明を実施するための形態】
【００１９】
以下、本発明の好ましい実施例を添付した図面を参照してさらに詳しく説明する。
【００２０】
図１は本発明による冷温水器のウォーターガードで出水断続手段が閉鎖された状態の断面図であり、図２は図１の主要部分を拡大した図面である。本発明による冷温水器のウォーターガードは、冷温水器に設置され生水容器１００の出口１１０に取付けられた栓を開け生水容器の内部に空気を供給する空気流入口６ａおよび生水容器に入っている水が排出される出水口６ｂを有する突出管２と、冷温水器に設置された貯水タンク２００の水位によって昇降するフロート４と、前記突出管２の内部に設置され前記フロート４の昇降によって上下方向に直線移動して生水容器１００に入っている水の排出を断続する出水断続手段と、を含む。
【００２１】
前記生水容器１００は出口１１０を冷温水器に形成された生水容器支持部２１０に載せると、突出管２によって出口１１０に取付けられた栓（図示せず）が開かれるようになっている。
【００２２】
前記突出管２は円筒形の管路形態に形成され、その上端部は閉鎖され下端部は開放された構造を有する。
【００２３】
このような突出管２の内部は、生水容器１００の内部に空気を流入させながら生水容器１００に入っている水が排出される通路６からなる。
【００２４】
また、このような突出管２には互いに反対側に通路６と通じる空気流入口６ａおよび出水口６ｂが形成される。前記空気流入口６ａは出水口６ｂの上方に形成され、このような構造によって水の排出および空気の流入が互いに干渉されず円滑に行われる。
【００２５】
前記フロート４は、内部が空間であり貯水タンク２００に入っている水の浮力によって昇降するように形成され、中央部の上端にはフロート４が上昇する時に出水断続手段の中心部側に上昇できるようにガイド突起８が形成される。
【００２６】
また、フロート４が下降する場合、一定の領域内で動けるようにフロート４が位置した下方には支持板１０が設けられる。この支持板１０はフロート４の下部側形状と同一または類似の形状からなり、貯水タンク２００に固定設置される。
【００２７】
そして、支持板１０の下端部内側は生水容器１００の水が図示されていない浄水タンクに流れるように供給口１２として形成される。
【００２８】
このようなフロート４は貯水タンク２００の水位によって独立的に昇降できるように形成され、フロート４の昇降によって出水断続手段が突出管２の内部で昇降することにより、生水容器１００に入っている水の貯水タンク２００への排出を遮断するか供給することができる。
【００２９】
前記出水断続手段は、図３に示されているように突出管２の内部に挿入されると共に、生水容器１００の内部に空気を流入させる空気流入通路１４および生水容器１００の水を貯水タンク２００に出水させる水排出通路１６を有する本体部１８と、前記本体部１８の下部に設置されてフロート４の昇降によって、本体部１８と共に昇降しながら前記空気流入通路１４および水排出通路１６を閉鎖するか開放させる開閉部２０と、前記本体部１８の下方に設置されフロート４の上昇および開閉部２０の下降を一定の範囲内で制限するストッパー２２と、を含む。
【００３０】
前記本体部１８は、突出管２の内部に挿入されるように形成された多数の隔壁２４を備える。
【００３１】
このような本体部１８の隔壁２４の長さは突出管２の内径より若干短く形成され、本体部１８は突出管２の内部で昇降でき、また隔壁２４と突出管２には本体部１８が突出管２に挿入された状態で円周方向に回転しないように図示されていない突起と溝が形成される。
【００３２】
複数の対向する前記空気流入通路１４および複数の対向する水排出通路１６は本体部１８に形成された隔壁２４を境界にして円周方向に沿って形成される。
【００３３】
そして生水容器１００に入っている水が円滑に出水されるように、水排出通路１６の面積は空気流入通路１４の面積より大きく形成される。
【００３４】
本体部１８の下部に形成された開閉部２０は柔軟性を有するシリコンまたはゴムなどで形成でき、開閉部２０の下部にはフロート４の上昇時にガイド突起８が開閉部２０の中心部に位置するようにガイド溝２６が形成される。
【００３５】
前記ガイド溝２６は円弧形に形成され、フロート４が上昇するとフロート４の上端に形成されたガイド突起８がガイド溝２６の中央部に接触して本体部１８を押し上げるように構成される。
【００３６】
そして前記本体部１８の下方に設置されたストッパー２２は周縁方向に沿って一定の間隔でリブが形成され、これらリブの間は空間からなり生水容器１００の水が貯水タンク２００に出水され得る。またストッパー２２の下部中央部は、ガイド溝２６は抜け出すことができるが、開閉部２０は抜け出すことができないようになされたホール２８として形成される。
【００３７】
このような構造のストッパー２２によって、フロート４の上昇および開閉部２０の下降を一定の範囲内で行われるようにする。
【００３８】
図面における説明していない符号３００は、貯水タンク２００の水を冷却させるための冷媒コイルを示す。
【００３９】
前記のような本発明の冷温水器のウォーターガードでは、冷温水器の貯水タンク２００に水が一定量の水が満たされると、図１および図２のように貯水タンク２００に入っている水の浮力によって、フロート４がストッパー２２に接触するまで上昇する。
【００４０】
このようなフロート４の上昇時、フロート４の上部に形成されたガイド突起８が開閉部２０の下部に形成されたガイド溝２６に接触しながら本体部１８を上方に押し上げる。
【００４１】
これにより、開閉部２０も上昇しながら突出管２の下端を閉鎖させていき、生水容器１００の出口１１０を通じて出水される水を遮断していく。
【００４２】
このような状態で貯水タンク２００の水を使用して水位が低くなると図４および図５に示されているようにフロート４が下降し、本体部１８および開閉部２０も共に下降する。
【００４３】
この時、フロート４の最大下降地点は支持板１０によって制限され、本体部１８および開閉部２０の下降もストッパー２２によって制限されるので、一定の範囲内で下降するようになる。
【００４４】
このような作動で出水断続手段が開放されるにしたがい、生水容器１００に入っている水は出口１１０から突出管２に形成された出水口６ｂを通じて本体部１８の水排出通路１６を経て貯水タンク１００に排出され、生水容器１００の内部の圧力が低くなり、貯水タンク２００にあった空気が突出管２の通路６を経て突出管２の上部に流入し、突出管２の空気流入口６ａに排出されて生水容器１００の内部に供給される。
【００４５】
生水容器１００の水が出水される水排出通路１６は生水容器１００の内部に空気が流入する空気流入通路１４より大きい断面積を有しており、また複数の対向する空気流入通路１４と複数の対向する水排出通路１６は本体部１８の周縁面に沿って形成され、空気の流入と水の排出が互いに干渉されず水の排出および空気の流入が円滑に行われる。
【００４６】
このような過程を通じて生水容器１００の水が出水されながら貯水タンク２００に空気が満たされ、この時、貯水タンク２００のフロート４は水位が上昇するにしたがい浮力によって上昇し、本体部１８および開閉部２０を上部に押し上げる。
【００４７】
そして貯水タンク２００に一定量の水が満たされると、フロート４の浮力によって開閉部２０が突出管２の下端を閉鎖させ生水容器１００から出水される水の排出が中止される。
【００４８】
この時、開閉部２０が生水容器１００と貯水タンク２００の間を完全に密閉して遮断するので、貯水タンク２００に細菌が存在する場合、この細菌が生水容器１００に流入することを防止する。
【００４９】
前記では本発明の好ましい実施例が例示を目的にして説明されているがこれに制限されず、特許請求の範囲と発明の詳細な説明および添付した図面の範囲内で多様に変形して実施するのも可能である。
【符号の説明】
【００５０】
２      突出管
４      フロート
６      通路
６ａ      空気流入口
６ｂ      出水口
８      ガイド突起
１０      支持板
１２      供給口
１４      空気流入通路
１６      水排出通路
１８      本体部
２０      開閉部
２２      ストッパー
２４      隔壁
２６      ガイド溝
１００      生水容器
１１０      出口
２００      貯水タンク
２１０      生水容器支持部
３００      冷媒コイル
【図１】
0005745170.tif 000002
【図２】
0005745170.tif 000003
【図３】
0005745170.tif 000004
【図４】
0005745170.tif 000005
【図５】
0005745170.tif 000006
【図６】
0005745170.tif 000007